(57)【要約】【課題】盛土体からの応力に十分耐えられる強度を持った法面形成用枠材、およびそれを用いて効率的に高い強度を持った法面を構築する工法を提供すること。【解決手段】溶接金網のような格子型枠から形成されたＬ字状の鋼製枠であって、その鋼製枠の内側には鋼製枠の幅方向所定間隔毎に鋼製枠と同じ角度を有するトライアングル状の補強材が固定されている法面形成用枠材である。さらに鋼製枠の前面部分の外側に円柱状又は円筒状の長尺物、例えば木材が鋼製枠に沿って複数段積み上げられ、かつそれらの長尺物は互いに連結されると共に鋼製枠に固定されている構造をとってもよい。またこのような枠材と盛土補強材とを併用して盛土を施し、法面を構築する工法である。【選択図】    図１
2004300701.tif 000002
【特許請求の範囲】
【請求項１】
前面部分と底面部分とを含むＬ字状の格子型枠であって、その格子型枠の内側には格子型枠の幅方向所定間隔毎に、格子型枠と同じ角度を有するトライアングル状の補強材が固定されていることを特徴とする法面形成用枠材。
【請求項２】
請求項１に記載した法面形成用枠材には、さらに格子型枠の前面部分の外側に円柱状又は円筒状の長尺物が格子型枠に沿って複数段積み上げられ、かつそれらの長尺物は互いに連結されると共に格子型枠に固定されていることを特徴とする法面形成用枠材。
【請求項３】
前記の円柱状又は円筒状の長尺物は、天然木材であることを特徴とする請求項２に記載の法面形成用枠材。
【請求項４】
法面を形成すべき位置に、前面部分と底面部分とを含むＬ字状の格子型枠を設置し、次に盛土補強材をその一方の端部が前記格子型枠の底面部分に重なるように水平に敷設し、その後格子型枠と同じ角度を有するトライアングル状の補強材を格子型枠の内側かつ幅方向所定間隔毎に格子型枠に固定し、その後盛土補強材上に盛土材を撒きだし締め固めることを特徴とする法面構築工法。
【請求項５】
前記の盛土補強材は、ジオシンテックス又は鋼製補強材であることを特徴とする請求項４に記載の法面構築工法。
【請求項６】
請求項４又は５に記載の法面構築工法において、さらに格子型枠の前面部分の外側に円柱状又は円筒状の長尺物を格子型枠に沿って複数段積み上げ、かつそれらの長尺物を互いに連結すると共に格子型枠に固定することを特徴とする法面構築工法。
【請求項７】
前記の円柱状又は円筒状の長尺物は、天然木材であることを特徴とする請求項６に記載の法面構築工法。
【発明の詳細な説明】
【０００１】
【発明の属する技術分野】
本発明は、道路や宅地等の造成地の法面形成用に用いる枠材およびそれを用いた法面構築工法に関する。
【０００２】
【発明の技術的背景】
道路のような新たな造成地を構築する場合、急勾配の法面を持ちかつ高い盛土体が形成されることが多く、その場合高強度を保持した盛土体を短期間内に施工するために、法面形成用に専用に作られた格子型枠が用いられている。その格子型枠は、ほぼＬ字型に形成されているが、盛土体から加わる応力で格子型枠の角度が開いていくことから、最終的に設計角度に一致させることは難しい。そこで、Ｌ字型の格子型枠に斜体材と呼ばれる角度固定を行なうための部材が用いられているが、より高強度の枠材が求められている。さらに法面形成用枠材外側に補強のため円柱状又は円筒状の長尺物を枠材に沿って複数段積み上げる場合、それらの取りつけを容易にし、かつその重さに耐え得るような角度固定のための部材が必要となる。
【０００３】
【特許文献１】
特開平５−２８７７５０号公報
【０００４】
【発明が解決しようとする課題】
そこで、本発明は、盛土体からの応力に十分耐え得る強度を持った法面形成用枠材、およびそれを用いて効率的に高い強度を持った法面を構築する工法の提供を目的にする。
【０００５】
【課題を解決するための手段】
すなわち本発明は、前面部分と底面部分とを含むＬ字状の格子型枠であって、その格子型枠の内側には格子型枠の幅方向所定間隔毎に、格子型枠と同じ角度を有するトライアングル状の補強材が固定されている法面形成用枠材に関する。
【０００６】
また本発明は、前記の法面形成用枠材に、さらに格子型枠の前面部分の外側に円柱状又は円筒状の長尺物が格子型枠に沿って複数段積み上げられ、かつそれらの長尺物は互いに連結されると共に格子型枠に固定されている法面形成用枠材に関する。ここで、前記の長尺物としては、天然木材が好ましい。
【０００７】
また本発明は、法面を形成すべき位置に、前面部分と底面部分とを含むＬ字状の格子型枠を設置し、次に盛土補強材をその一方の端部が前記格子型枠の底面部分に重なるように水平に敷設し、その後格子型枠と同じ角度を有するトライアングル状の補強材を格子型枠の内側かつ幅方向所定間隔毎に格子型枠に固定し、その後盛土補強材上に盛土材を撒きだし締め固める法面構築工法に関する。ここで、前記の盛土補強材としては、ジオシンテックス又は鋼製の網状物、とくにプラスチック製ネット状物が一軸方向または二軸方向に延伸処理された網状物が好ましい。
【０００８】
さらに本発明は、前記の法面構築工法において、さらに格子型枠の前面部分の外側に円柱状又は円筒状の長尺物を格子型枠に沿って複数段積み上げ、かつそれらの長尺物を互いに連結すると共に格子型枠に固定する法面構築工法に関する。ここで、前記の長尺物としては、天然木材が好ましい。
【０００９】
【発明の具体的説明】
次に図面を参照して、本発明に係わる法面形成用枠材およびそれを用いた法面構築工法について詳細に説明する。
【００１０】
図１は、本発明の法面形成用枠材の一例を概略的に示す斜視図である。
法面形成用枠材１は、格子型枠２とトライアングル状補強材３とを組み合わせて構成されており、それを法面が形成される位置に設置してから盛土を行ない、法面を施工するために用いられる土木資材である。
【００１１】
格子型枠２は、縦軸材と横軸材とをその交点で溶接固定した幅の広い溶接金網から形成されており、法面の設計勾配にほぼ一致する角度になるように予めＬ字状に加工されている。ここでは、そのＬ字状格子型枠の内、法面を形成する箇所を前面部分、地盤や盛土体に接する箇所を底面部分と呼び、また前面部分と底面部分とで囲まれる側を内側、その反対側を外側と呼ぶ。格子型枠としては、このような鋼製の溶接金網の代わりに、エキスパンドメタル製のものを使用することができる。
【００１２】
また格子型枠２には、その内側に複数の鋼製補強材３が、格子型枠２の幅方向所定間隔毎に配置固定され、両者は一体化している。補強材３は、トライアングル状を呈しており、その３辺の内、格子型枠２の前面部分に接する辺と底面部分とに接する辺とのなす角度は、格子型枠２の前面部分と底面部分とのなす角度にほぼ一致するように調整されており、その角度は法面の設計角度とほぼ同じである。従って、補強材３は格子型枠２の内側にはまり込む構造になり、格子型枠２の強度を高めている。また、格子型枠２の底面部分および補強材３の底辺にそれぞれ山形状の突起部９および１０を各々設けて互いに重ね合わせると、両者の位置決めが容易になる。
【００１３】
格子型枠２と補強材３との固定は、格子型枠２の前面部分と底面部分とで行なう方法が確実で、具体的には、溶接によって行なってもよいし、取付け具を用いて行なってもよい。図１では、補強材３が取付け具４を介して格子型枠２の前面部分に、また取付け具５を介して格子型枠２の底面部分にそれぞれ取付けられている構造を示している。取付け具の構造は特に限定されるものではない。
【００１４】
図２は、取付け具４の一例を概略的に示す斜視図である。取付け具４は、格子型枠２の縦軸材２ａと補強材３とを抱え込み両端がネジ切りされたＵ字状部材と、両者を押さえこむ平板状部材と、Ｕ字状部材の先端を止めるナット部材とから構成されている。補強材３を格子型枠２の底面部分に取付けるときの取付け具５の構造も特に限定されるものではなく、図２に示したと同様の構造の取付け具を使用することができる。
【００１５】
このように、本発明の法面形成用枠材１は、格子型枠２が例えば取付け具４および５によって固定された補強材３を具備しているので、格子型枠２の強度が高められて、その前面部分と底面部分とのなす角度は変形しにくいことから、盛土体からの応力が加えられても設計角度をほぼ保つことが可能になる。
【００１６】
前記した本発明の法面形成用枠材は、さらに格子型枠の前面部分の外側に円柱状又は円筒状の長尺物を格子型枠に沿って複数段積み上げかつ互いに固定する構造にすると、ちょうど格子型枠の前面部分を長尺物で被覆する外観になり、枠材に一層の強度アップと良好な見栄えを付与することができる。
【００１７】
図３は、格子型枠２の前面部分の外側に長尺物６を取付けた法面形成用枠材の一例を示す概略の断面図である。
長尺物６は、天然木材、人工木材、金属パイプ等の長軸方向に高い引張強度と直径方向に高い曲げ強度とを有する中実ないし中空の材料であって、見栄えを良くする場合には天然木材が好ましく、長期間に亘る耐久性を重視する場合には人工木材や金属パイプ等が好ましい。中でも施工現場近辺から容易に供給可能な間伐材が施工上も経済的にも好都合である。このような長尺物６は、それを格子型枠２の幅方向に配置し、かつ縦方向に積み上げる。
【００１８】
長尺物６の固定方法は任意であるが、図３では格子型枠２の前面部分の外側に、挿通孔を設けた長尺物の間に挟まれるように少なくとも上下方向の２箇所に挿通孔を設けた固定具７を取付けると共に、長尺物６と固定具７に鋼製棒材８を挿通させ、その上下をナットで止めることにより固定している。固定具７の取付け位置を、補強材３を格子型枠２に取付けた位置と同じにすれば、固定具７と取付け具４とを一つの部材にまとめ上げられる利点があるので好都合であるが、勿論別々のものを使用してもかまわない。
【００１９】
図４は、固定具７の一例を概略的に示す断面図である。固定具７は、左右両部材から形成され、両者は溶接によって一体化している。右側部材は、先に示した取付け具４と同じ構造で、格子型枠２の縦軸材２ａと補強材３とを抱え込み両端がネジきりされたＵ字状部材７ａと、両者を押さえこむ平板状部材７ｂと、およびＵ字状部材の先端を止めるナット部材７ｃとから構成されている。左側部材は、中央に円形孔７ｅを設けた平板７ｄであって、この平板によってその間に挟まれた複数の長尺物６をその直径方向から押さえ込み、また中央の円形孔７ｅと長尺物６の挿通孔に鋼製棒材８を挿通することにより、両者を一体化する。また鋼製棒材８の上下両端をナットで止めることによって、複数の長尺物６は互いに連結固定されると共に格子型枠２にも固定される。
【００２０】
このような長尺物６を格子型枠２の前面部分の外側に取付けた法面形成用枠材は、盛土体からの強い応力を格子型枠２および長尺物６が協同して受け止めることから、強固で耐久力のある法面を構築することができる。
【００２１】
図５は、これまでに説明してきた法面形成用枠材を用いて法面を構築する工法の一例を概略的に示す断面図である。
【００２２】
地盤ないし盛土体１１上の法面を形成すべき位置に、図１に示した格子型枠２をまず設置する。次に盛土補強材１２をその一方の端部が前記格子型枠２の底面部分に重なるように水平に敷設する。その際、格子型枠２および盛土補強材１２は、必要に応じてアンカーボルト等で地盤ないし盛土体１１に固定してもよい。
【００２３】
ここで盛土補強材１２は、盛土を安定化ないし補強する網状物であって、金属製またはプラスチック製のネット状物は盛土の補強効果が高いので好ましい。図６は、盛土補強材の好適な一例を概略的に示す斜視図である。それは、縦軸材と横軸材とから形成されたプラスチック製ネット状物であって、一軸方向へと延伸処理が施されたものであって、必要ならば二軸方向へと延伸処理されていてもよい。このようなネット状物は、高い引張強度と剛性とを有し、また強固な交点強度とを有しており、さらに土壌の拘束力が高いので好ましい盛土補強材である。その盛土補強材は、通常ジオグリッドと呼ばれており、三井化学産資株式会社製品  商品名テンサーとして市販され、容易に入手することができる。
【００２４】
なお、この盛土補強材に重ねて、或いは盛土補強材を敷設した層と層との中間に不織布のような厚手の繊維シートや板状の排水材を併用敷設してもよい。繊維シートや板状の排水材を用いることによって、水平方向の排水効果が加わることから、早期に地盤の安定化を図ることができる。
【００２５】
その後、格子型枠２とほぼ同じ角度を有するトライアングル状の補強材３を格子型枠２の内側かつ幅方向所定間隔毎に配置し固定する。その際、図２に示した取付け具４を用いて補強材３を格子型枠２の前面部分に、また同構造の取付け具５を用いて底面部分に取り付けて固定してもよい。盛土補強材１２は、格子型枠２の底面部分と補強材３の底辺部分とに挟み込まれることから、盛土補強材１２の位置が固定される。その後盛土補強材１２の上に盛土材１３を撒きだし締め固めると、法面の形成された盛土体が形成される。
【００２６】
この法面構築工法において、さらに格子型枠２の前面部分の外側に長尺物６を格子型枠２に沿って複数段積み上げ、かつそれらの長尺物６を互いに連結すると共に格子型枠２に固定する工法を採用することができる。その場合、図２に示した複数の長尺物６の連結固定方法を採用することができる。長尺物６は、格子型枠２の前面部分を覆うことから、長尺物６の持つ引張強度と剛性とによって格子型枠２を一層補強し、耐久力のある法面を構築する。また、長尺物６として天然木材を使用すれば、法面の景観を見栄えよく保つことができる。
【００２７】
盛土体を数段に亘って積み上げる場合には、基本的には前記した工法を繰り返すことで施工することができる。その場合、格子型枠２の前面部分の上端１４を図１および図２に示したような形状に折り曲げ、その折り曲げ部分を上段に位置する格子型枠２の縦軸材または横軸材に引っ掛けることによって、格子型枠２を安定して積み上げていくことができる。
【００２８】
最上段に設置される格子型枠２では、その前面部分の上端１４が図１および図２に示された形状のように折り曲げられることなく、直線状のままになっていることが多い。法面の形状によっては、格子型枠２の上端を斜めに切断していくこともある。従って、工事中に作業者がその直線部分上端に接触してけがすることのないように、上端にカバーを施して安全を確保することが望ましい。
【００２９】
図７は、盛土最上段に設置される格子型枠２の一例を概略的に斜視図で示している。格子型枠２の前面部分の上端１５は直線状になっており、それを覆うように蓋１６が被せられている。図８は、蓋の一例を示す概略断面図である。蓋１６の内側壁面には、図８に示したようにその壁面を外側から打ち抜き加工を施して、舌片状の突起物１７が形成されている。蓋１６の長手方向にその舌片状の突起物１７が必要に応じて複数個設けられていてもよい。蓋１６を前面部分の上端１５に被せ、それを図７の左側へとスライドさせると、格子型枠２の縦軸２ａが舌片状の突起物１７中へと入り込むので、蓋１６は格子型枠２に確実に固定され、容易にはずれることはない。
【００３０】
また、法面を形成する工事箇所が長い距離に亘る場合には、本発明の枠材を複数個連結して工事を進めていくことになる。その場合の枠材同士の連結は、図２に示した取付け具、コイル状物、あるいは図８に示した舌片状の突起物１７を用いる等の手段で行うことができる。
【００３１】
さらに、図２に示したように長尺物６を格子型枠２の前面部分外側に取付ける場合には、次に記す取り付け方法を採用することもできる。図９および図８は、長尺物を組み合わせた一例を概略的に示す図面である。図９に示したように、接続箇所で一方の側からの長尺物６を一本おきに長く伸ばし、他方の側からの長尺物６を一本おきに短くして両者を突き合わせ、その突き合わせ部分の中間を鋼製棒材８で連結することによって、接続箇所の強度を一層高めることができる。また、枠材の連結箇所が直線状でなく角度を持っている場合においても、図１０に示した連結方法をとれば、同様に高い強度で確実に接続することができる。
【００３２】
【発明の効果】
本発明に係わる法面形成用枠材は、Ｌ字型の格子型枠とトライアングル状の補強材とを組み合わせたので、盛土体からの応力が加わっても格子型枠の角度を設計角度にほぼ保つことができる。さらに、格子型枠の前面部分外側に長尺物を取り付けると、一層盛土体からの応力に対する耐力が増し、また法面の見栄えも良くなる。また、本発明に係わる法面構築工法によると、格子型枠と補強材とを組み合わせることによって、必要ならば長尺物を格子型枠の前面部分外側に取付ける工程を加えることによって、簡単な施工法で、かつ高い強度と耐久性とを保持した法面を効率よく構築していくことができる。
【図面の簡単な説明】
【図１】法面形成用枠材の一例を概略的に示す斜視図である。
【図２】取付け具の一例を概略的に示す斜視図である。
【図３】長尺物を取り付けた法面形成用枠材の一例を概略的に示す断面図である。
【図４】固定具の一例を概略的に示す斜視図である。
【図５】法面構築工法の一例を概略的に示す断面図である。
【図６】盛土補強材の一例を概略的に示す斜視図である。
【図７】盛土最上段に設置される法面形成用枠材の一例を概略的に示す斜視図である。
【図８】法面形成用枠材の蓋の一例を概略的に示す斜視図である。
【図９】長尺物を組み合わせた一例を概略的に示す断面図である。
【図１０】長尺物を組み合わせた別の一例を概略的に示す斜視図である。
【符号の説明】
１      法面形成用枠材
２      格子型枠
３      補強材
４、５  取付け具
６      円柱状長尺物
７      固定具
８      鋼製棒材
９、１０      山形状の突起部
１１    地盤または盛土体
１２    盛土補強材
１３    盛土体
１４、１５    格子型枠の上端
１６    蓋
１７    舌片状の突起物
【図１】
2004300701.tif 000003
【図２】
2004300701.tif 000004
【図３】
2004300701.tif 000005
【図４】
2004300701.tif 000006
【図５】
2004300701.tif 000007
【図６】
2004300701.tif 000008
【図７】
2004300701.tif 000009
【図８】
2004300701.tif 000010
【図９】
2004300701.tif 000011
【図１０】
2004300701.tif 000012